(57)【要約】【課題】見栄えが良い車両用表示装置を提供する。【解決手段】車両用表示装置は、照明光を視認側へ射出する照射領域４４と、照射領域４４と隣接し、照明が規制されている規制領域４６と、を有する照明部と、照明部よりも視認側において、照射領域４４と規制領域４６とを跨ぐように配置され、照明光により照明されて発光する発光部と、を備える。発光部は、照射領域４４と重なって配置され、照射領域４４側から規制領域４６側へ向かう程、照明部から遠ざかるように傾斜すると共に、照射領域４４からの照明光を反射する傾斜反射面７６ａが設けられた第１部位７６と、規制領域４６と重なって配置され、傾斜反射面７６ａに反射された照明光を拡散する拡散部が設けられた第２部位８０と、を有する。【選択図】図６
2018132373.tif 000002
【特許請求の範囲】
【請求項１】
車両に搭載される車両用表示装置であって、
照明光を視認側へ射出する照射領域（４４）と、前記照射領域と隣接し、照明が規制されている規制領域（４６）と、を有する照明部と、
前記照明部よりも視認側において、前記照射領域と前記規制領域とを跨ぐように配置され、前記照明光により照明されて発光する発光部と、を備え、
前記発光部は、
前記照射領域と重なって配置され、前記照射領域側から前記規制領域側へ向かう程、前記照明部から遠ざかるように傾斜すると共に、前記照射領域からの前記照明光を反射する傾斜反射面（７６ａ）が設けられた第１部位（７６）と、
前記規制領域と重なって配置され、前記傾斜反射面に反射された前記照明光を拡散する拡散部が設けられた第２部位（８０）と、を有する車両用表示装置。
【請求項２】
前記第１部位は、前記照明光を拡散する光拡散材料により形成され、
前記傾斜反射面は、前記第１部位において、前記照射領域と対向する表面として形成されている請求項１に記載の車両用表示装置。
【請求項３】
前記第１部位は、前記傾斜反射面に沿った均質な厚みの板状に形成されている請求項２に記載の車両用表示装置。
【請求項４】
前記第２部位は、前記光拡散材料により前記第１部位と一体的に形成され、
前記拡散部は、前記光拡散材料の拡散作用を用いて、前記照明光を拡散する請求項２又は３に記載の車両用表示装置。
【請求項５】
前記発光部は、前記第１部位及び前記第２部位の全体を視認側から被覆し、前記照明光を半透過させる暗色のスモーク部（７３）を有する請求項１から４のいずれか１項に記載の車両用表示装置。
【請求項６】
前記照射領域は、環状に形成され、
前記規制領域は、前記照射領域よりも外周側に形成され、
前記発光部は、内周側から外周側へ向かう程、前記照明部から遠ざかるように傾斜する前記傾斜反射面に合わせて、内周側から外周側へ向かう程、視認側へ突出する環状に形成されている請求項１から５のいずれか１項に記載の車両用表示装置。
【請求項７】
前記照明部は、
発光素子（５０ａ）が発した前記照明光を導光する導光プリズム部材（６０）と、
前記照射領域及び前記規制領域を有し、前記導光プリズム部材の導出面（６４）から射出された前記照明光を前記照射領域にて透過させる板状部材（４０）と、を有する請求項１から６のいずれか１項に記載の車両用表示装置。
【発明の詳細な説明】
【技術分野】
【０００１】
本発明は、車両に搭載される車両用表示装置に関する。
【背景技術】
【０００２】
従来、車両に搭載される車両用表示装置が知られている。特許文献１に記載の車両用表示装置は、照明部及び発光部を有している。照明部は、照明光を視認側へ射出する照射領域（表示板に形成された透過部）を有している。発光部（装飾部材）は、照射領域からの照明部よりも視認側に配置され、照明光により照明されて発光する。
【０００３】
発光部には、照射領域と重なって配置され、照射領域から直接入射した照明光を拡散する拡散部が設けられている。
【先行技術文献】
【特許文献】
【０００４】
【特許文献１】特開２０１４−２０６５００号公報
【発明の概要】
【発明が解決しようとする課題】
【０００５】
上述の特許文献１では、表示板の照射領域に隣接する領域は、遮光性の印刷が施されることにより、照明が規制されている規制領域であると考えられる。そうすると、発光部は、照射領域と規制領域とを跨ぐように配置されていると考えられる。車両用表示装置において、照射領域と規制領域とを跨ぐように配置される発光部が採用されることは、しばしばある。こうした発光部は、例えば、照明部において照明ムラが少ない等の照明の質が高い箇所だけを照射領域とし、その他の部分を敢えて遮光することで、発光部の見栄えを高めたい、また、照明部を配置するためのスペースを確保することが困難、その他にも、発光部を大きくして見栄えを高めたい等の理由で採用され得る。
【０００６】
ここで、特許文献１の拡散部は、略照射領域と重なって配置されているが、規制領域の一部にも重なって配置されている。このような拡散部のうち照射領域と重なった箇所では、照明光が十分照射されるため、明るく発光し得る。しかしながら、拡散部と重なった箇所のうち規制領域と重なった箇所では、照射領域と重なった箇所に比べて十分に照射光が供給されない。このため、発光部のうち規制領域と重なった箇所は、十分発光せずに暗くなってしまい、見栄えが悪化する原因となっていた。
【０００７】
本発明は、以上説明した問題に鑑みてなされたものであって、その目的は、見栄えが良い車両用表示装置を提供することにある。
【課題を解決するための手段】
【０００８】
本発明は、車両に搭載される車両用表示装置であって、
照明光を視認側へ射出する照射領域（４４）と、照射領域と隣接し、照明が規制されている規制領域（４６）と、を有する照明部と、
照明部よりも視認側において、照射領域と規制領域とを跨ぐように配置され、照明光により照明されて発光する発光部と、を備え、
発光部は、
照射領域と重なって配置され、照射領域側から規制領域側へ向かう程、照明部から遠ざかるように傾斜すると共に、照射領域からの照明光を反射する傾斜反射面（７６ａ）が設けられた第１部位（７６）と、
規制領域と重なって配置され、傾斜反射面に反射された照明光を拡散する拡散部が設けられた第２部位（８０）と、を有する。
【０００９】
このような発明によると、照射領域と規制領域とを跨ぐように配置される発光部のうち、照射領域と重なって設けられた第１部位において、傾斜反射面が設けられている。したがって、照明部の照射領域から視認側へ射出された照明光は、照射領域と重なっている第１部位を照明することとなり、その際、第１部位に設けられた傾斜反射面にも入射する。ここで、傾斜反射面は、照射領域側から規制領域側へ向かう程、照明部から遠ざかるように傾斜しているので、照射領域からの照明光は、規制領域側に反射されることとなり、規制領域と重なる箇所にも照明光が届く。
【００１０】
ここで発光部は、規制領域と重なって設けられた第２部位において、拡散部を有している。拡散部が傾斜反射面に反射された照明光を拡散することで、当該拡散部から視認側へも発光することが可能となる。この結果、発光部のうち規制領域と重なった箇所においても、十分に明るく発光されるようになる。以上により、見栄えが良い車両用表示装置を提供することができる。
【００１１】
なお、括弧内の符号は、記載内容の理解を容易にすべく、後述する実施形態において対応する構成を例示するものに留まり、発明の内容を限定することを意図したものではない。
【図面の簡単な説明】
【００１２】
【図１】一実施形態における車両用表示装置を部分的に示す正面図である。
【図２】図１のII−II線断面図である。
【図３】図１のIII−III線断面図である。
【図４】図１のIV−IV線断面図である。
【図５】図４のV部を拡大して示す図である。
【図６】図５において、照明光を模式的に示す図である。
【発明を実施するための形態】
【００１３】
以下、本発明の一実施形態を図面に基づいて説明する。
【００１４】
図１に示すように、本発明の一実施形態による車両用表示装置１００は、車両に搭載され、当該装置１００を視認する乗員が着座する座席と対向するインストルメントパネルに設置されている。車両用表示装置１００は、乗員が位置することとなる視認側へ向けて車両の情報を表示可能となっている。
【００１５】
このような車両用表示装置１００は、図２〜４にも示すように、ケース部１０、実装基板２０、指針部３０、表示板４０、リング部材用光源部５０、導光プリズム部材６０、及び加飾リング部材７０等により構成されている。
【００１６】
ケース部１０は、図２に示すように、背面側ケース部品１１及び視認側ケース部品１２を組み合わせて形成されている。背面側ケース部品１１は、例えば合成樹脂により遮光性に形成されており、実装基板２０を背面側から覆っている。視認側ケース部品１２は、例えば合成樹脂により遮光性に形成されており、実装基板２０を視認側から覆うと共に、指針軸挿通筒部１２ａ、光通過筒部１２ｂ及び反射壁部１２ｃ等を有している。
【００１７】
実装基板２０は、例えば合成樹脂により平板状に形成されており、背面側ケース部品１１と、視認側ケース部品１２との間に挟まれている。実装基板２０には、指針用光源部５１の発光素子５１ａ、表示灯用光源部５２の発光素子５２ａ、リング部材用光源部５０の発光素子５０ａ、指針３２ａを回動させるためのステッピングモータ３１等が実装及び保持されている。
【００１８】
指針部３０は、ステッピングモータ３１及び指針３２ａ，３２ｂを有している。ステッピングモータ３１は、実装基板２０の背面側に保持されている。指針３２ａ，３２ｂは、視認側ケース部品１２において中空筒状に形成された指針軸挿通筒部１２ａ内において、ステッピングモータ３１の回転軸と連結される連結部３３を有すると共に、表示板４０の貫通穴４０ａを通して当該表示板４０よりも視認側に針状部３４を有している。指針３２ａ，３２ｂは、ステッピングモータ３１の出力に応じてその回転軸を回転中心として回動するようになっており、回動位置（目盛の指示位置）に応じて車両の情報を表示することが可能となっている。車両の情報としては、車両の速度、エンジン回転数、燃料残量、バッテリ残量、エンジン冷却水の水温等を採用することが可能である。本実施形態では、指針部３０に複数の指針３２ａ，３２ｂ設けられており、このうち車両の速度を示す指針が主の指針３２ａとなっており、燃料残量を示す指針がサブ指針３２ｂとなっている。本実施形態では、主の指針３２ａの回転中心を指針軸ＡＸと定義する。
【００１９】
なお、指針軸挿通筒部１２ａの背面側端部は、実装基板２０と隙間少なく当接しており、実装基板２０において、指針軸挿通筒部１２ａに囲まれた箇所には、指針用光源部５１の発光素子５１ａが配置されている。発光素子５１ａが発光することで、指針の針状部３４が照明されるようになっている。
【００２０】
表示板４０は、一般的に文字板とも呼ばれている板状部材であり、視認側ケース部品１２の開口部１２ｄを視認側から覆い、当該視認側ケース部品１２によって保持されている。表示板４０は、例えば透光性を有する合成樹脂からなる基材の視認側の表面に、半透光性又は遮光性の印刷が部分的に施されており、車両の情報を表示する。なお、印刷に代えて、塗装が施されていてもよい。図１に示すように、本実施形態の表示板４０は、指針軸ＡＸを中心とした円盤状に形成されている。
【００２１】
表示板４０のうち、視認側ケース部品１２において中空筒状に形成された光通過筒部１２ｂと対向する領域には、表示灯４１が設けられている。半透光性の印刷又は基材の露出により、光を透過可能に形成された透過領域が各種車両の情報を示すマークの輪郭をなすことで、表示灯４１は構成されている。表示灯４１としては、ヘッドランプの向きを示す表示灯、各種警告を示す表示灯等が存在する。
【００２２】
図２に示すように、光通過筒部１２ｂにおいて、一端は実装基板２０と隙間少なく当接しており、他端は表示板４０と隙間少なく当接している。実装基板２０において、光通過筒部１２ｂに囲まれた筒内部の一端側には、表示灯用光源部５２の発光素子５２ａが配置されている。表示灯４１に対応する発光素子５２ａが発光することで、当該表示灯４１が点灯するようになっている。
【００２３】
リング部材用光源部５０は、図２，３に示すように、実装基板２０の視認側に配置された複数の発光素子５０ａにより構成されている。本実施形態の各発光素子５０ａには、発光ダイオード素子が採用されており、各発光素子５０ａは、実装基板２０上の配線パターンを通じて電源と接続されることで、導光プリズム部材６０の導入部６１へ向けて照明光を発するようになっている。なお、各発光素子５０ａは、単色に発光する発光素子であってもよく、色の切り替えが可能なマルチカラーの発光素子であってもよい。また本実施形態では、他の光源部５１，５２の発光素子５１ａ，５２ａにも同様の発光ダイオード素子が採用されている。
【００２４】
導光プリズム部材６０は、例えばアクリル樹脂ないしはポリカーボネイト樹脂等の合成樹脂により、透過率の高い透光性に形成されており、実装基板２０と表示板４０との間に、すなわち、加飾リング部材７０よりも背面側に配置されている。図３に示すように導光プリズム部材６０は、視認側ケース部品１２の反射壁部１２ｃに囲まれた収容空間１２ｅに、収容されている。そして、導光プリズム部材６０は、導入部６１及び導出部６３を一体的に形成している。
【００２５】
導入部６１は、リング部材用光源部５０と対向する入射端６１ａから、視認側かつ外周側の導出部６３へ向かって延伸して設けられている。導入部６１と導出部６３との接続箇所には、光学的な界面はなく、導入部６１と導出部６３とが連続的に形成されている。
【００２６】
リング部材用光源部５０の発光素子５０ａからの照明光は、入射端６１ａから導入部６１の媒質内部に導入される。内部に導入された照明光は、導入部６１と収容空間１２ｅとの界面にて反射されながら、導入部６１の内部を導出部６３まで導光されるようになっている。また、収容空間１２ｅに射出されてしまった照明光も、鏡面状の反射壁部１２ｃに反射されることで、再び導光プリズム部材６０の内部に戻される。
【００２７】
導出部６３は、図２〜４に示すように、表示板４０を間に挟みつつ、加飾リング部材７０と対向して配置されている。導出部６３は、指針軸ＡＸを中心とする円環板状を呈している。図５に示すように、導出部６３において、表示板４０と対向する視認側には、導出面６４が平面状に形成されている。導出部６３において、導出面６４を挟んで内周側及び外周側には、エッジ部６５が形成されている。こうした構成により、エッジ部６５に径方向両側から挟まれた導出面６４は、当該径方向に幅をもった円環状となっている。導出部６３において、導出面６４の反対側には、背面側を向く反射面６６が平面状に設けられている。
【００２８】
導入部６１から導出部６３へと導光された照明光は、導出部６３の媒質内部にて、エッジ部６５及び反射面６６に反射されながら、周方向に旋回することにより、周方向に比較的均質な密度に分布する。こうした照明光が導出面６４から表示板４０へ向けて、導出部６３の外部に射出される。この際、導出面６４の中央部６４ａからは、照明光を比較的均質に射出可能であるが、導出面６４のエッジ部６５近傍に位置する内周部６４ｂ及び外周部６４ｃでは、エッジ部６５での乱反射等の影響を受け、照明光にムラが生じ得る。
【００２９】
導出面６４から射出された照明光は、表示板４０に入射することとなる。ここで、表示板４０において導出部６３と対向する対向部には、照射領域４４と規制領域４５，４６が設けられている。
【００３０】
照射領域４４は、導出面６４のうち中央部６４ａと正対する箇所に円環状に設けられている。照射領域４４では、表示板４０の表面に印刷が設けられていない、すなわち基材が視認側にも背面側にも露出していることにより、照明光を透過して、視認側へ射出するようになっている。
【００３１】
規制領域４５，４６は、照射領域４４と隣接して設けられている。具体的に、規制領域４５は、導出面６４のうち内周部６４ｂと正対する箇所、及び当該箇所よりさらに内周側に連続して設けられている。規制領域４６は、導出面６４のうち外周部６４ｃと正対する箇所、及び当該箇所よりさらに外周側に連続して設けられている。規制領域４５，４６では、表示板４０の表面に遮光性の印刷が設けられていることにより、照射領域４４よりも照明光の透過が規制されている。特に本実施形態では、規制領域４５，４６において、表示板４０の表面に黒色の遮光層が形成されていることで、照明光は殆ど遮光吸収されるようになっている。
【００３２】
こうした照射領域４４及び規制領域４５，４６の配置に応じて、導出面６４のうち中央部６４ａは、シボ加工等により粗面状となっている一方、内周部６４ｂ及び外周部６４ｃは、鏡面状となっている。このようにすることで、導出部６３の媒質内部を反射される照明光のうち、内周部６４ｂ及び外周部６４ｃに到達するものは再び媒質内部に反射され易く、中央部６４ａに到達する一部は表示板４０側に射出及び拡散され易くなる。したがって、照明ムラの少ない照明光を導出面６４の中央部６４ａから集中的に射出することが可能となる。このため、当該中央部６４ａと正対する照射領域４４は、照明ムラの少ない照明光を効率的に視認側に射出することができる。
【００３３】
加飾リング部材７０は、表示板４０よりも視認側において、表示板４０を間に挟みつつ、導光プリズム部材６０と対向して配置されている。加飾リング部材７０は、遮光壁部７１、発光本体部７５、及びスモーク部７３等により構成され、指針軸ＡＸを中心とした円環状を呈している。
【００３４】
遮光壁部７１は、加飾リング部材７０のうち最外周において、例えば合成樹脂により遮光性の円環状に形成されている。遮光壁部７１は、表示板４０よりも外周側から視認側へ内周側に傾斜しながら延伸して設けられることで、加飾リング部材７０の外周に立壁を形成している。
【００３５】
発光本体部７５及びスモーク部７３は、遮光壁部７１よりも内周側において、表示板４０の照射領域４４及び径方向両側の規制領域４５，４６を跨ぐように配置されている。発光本体部７５及びスモーク部７３は、異なる材料による二色成形部品となっており、発光本体部７５が背面側、スモーク部７３が視認側に配置されている。発光本体部７５及びスモーク部７３は、全体としては、後述する傾斜反射面７６ａに合わせて、内周側から外周側へ向かう程、視認側へ突出する円環状に形成されている。
【００３６】
発光本体部７５は、照明光を拡散する光拡散材料により、第１部位７６と第２部位８０とを一体的に形成した円環状を呈している。ここで、光拡散材料とは、例えば透光性の合成樹脂に照明光を拡散するビーズ等の拡散粒子ないしは気泡等を混合してなる乳白色の材料である。また、光拡散材料としては、光拡散性を有するシリコーンゴム等を採用することができる。
【００３７】
第１部位７６は、第２部位８０よりも内周側において、照射領域４４と重なって配置された照射領域重畳部位である。第１部位７６は、照射領域４４側から外周側の規制領域４６側へ向かう程、すなわち内周側から外周側へ向かう程、表示板４０から離れるように傾斜する円環板状に形成されている。第１部位７６において、背面側を向き、表示板４０の照射領域４４と対向する表面は、鏡面状の傾斜反射面７６ａとなっている。
【００３８】
傾斜反射面７６ａは、第１部位７６の沿設方向に合わせて、照射領域４４側から外周側の規制領域４６側へ向かう程、すなわち内周側から外周側へ向かう程、表示板４０から離れるように傾斜している。第１部位７６は、傾斜面７６に沿った内周側から外周側まで実質的に均質な厚みに設定されている。
【００３９】
第１部位７６よりも内周側、すなわち発光本体部７５の最内周部には、表示板４０の内周側の規制領域４５と当接する当接部位７８が設けられている。当接部位７８は、外周側から内周側へ向かう程、その厚みが漸次減少するように設定されている。
【００４０】
第２部位８０は、第１部位７６よりも外周側において、外周側の規制領域４６と重なって配置された規制領域重畳部位である。第２部位８０は、遮光壁部７１と略平行に延伸する円環板状に形成されている。したがって、第２部位８０は、規制領域４６側から照射領域４４側へ向かう程、すなわち外周側から内周側へ向かう程、表示板４０から離れるように傾斜する円環板状に形成されている。ここで第２部位８０の表示板４０に対する傾斜角は、第１部位７６よりも遥かに大きく、９０度により近いものとなっている。第２部位８０も、各箇所において実質的に均質な厚みに設定されている。
【００４１】
このような第１部位７６と第２部位８０とは、全周に亘って接続部位７９によって接続されている。こうして発光本体部７５の径方向断面は、Ｌ字状ないしはＶ字状をなし、表示板４０の照射領域４４との間に、照明光を通過させるための通過空間８１を形成している。接続部位７９は、規制領域４６と重なっている。
【００４２】
スモーク部７３は、例えば透光性の合成樹脂をスモーク調に着色することにより、照明光を半透過可能な暗色の円環板状に形成されている。スモーク部７３は、第１部位７６及び第２部位８０を含む発光本体部７５全体を視認側から被覆することで、発光本体部７５が乗員から直接視認できないように配置されている。具体的に、スモーク部７３は、第１部位７６のうち視認側を向く表面と密着して接合されている。スモーク部７３の最外周部は、遮光壁部７１から内周側に突出する突条部７１ａと発光本体部７５との間に挟まれている。
【００４３】
図６にも示すように、表示板４０の照射領域４４から視認側に射出された照明光は、通過空間８１を介して、第１部位７６の傾斜反射面７６ａへと入射する。傾斜反射面７６ａは鏡面状に形成されているので、その一部は第１部位７６の内部に入射し、入射した照明光のうち他部は反射される。すなわち、照明光は、傾斜反射面７６ａにて透過光（図６の実線矢印）と反射光（図６の破線矢印）とに分かれる。
【００４４】
第１部位７６は光拡散材料により形成されているので、第１部位７６の内部に入射した照明光の一部は、第１部位７６の媒質内部各所で拡散される。接続部位７９でも同様に拡散作用が生じる。拡散された光は、スモーク部７３を半透過するので、視認側からは、第１部位７６及び接続部位７９が発光しているように視認される。
【００４５】
ここで、照射領域４４から傾斜反射面７６ａに直接入射する照明光について、より詳細に説明する。第１部位７６及び接続部位７９のうち、照射領域４４と規制領域４５，４６との境界に重なる箇所への照明は、規制領域４５，４６において照明が規制されているため、低密度となる。また、照射領域４４から遠ざかっている第１部位７６及び接続部位７９のうち外周側の方が照明の密度が下がり得る。この結果、直接入射する照明光についてみれば、第１部位７６及び接続部位７９のうち外周側にて照明の密度は下がる傾向にある。
【００４６】
一方、反射された照明光の他部は、傾斜反射面７６ａの傾斜方向に応じて、第１部位７６へ向かうこととなる。第２部位８０も光拡散材料により形成されているので、第２部位８０は、光拡散材料の拡散作用を用いて、傾斜反射面７６ａに反射された照明光を拡散する拡散部として機能する。第２部位８０において照明光は、あらゆる方向に拡散されることとなるが、第１部位７６及び接続部位７９のうち、比較的外周側に多く照明光を入射させる。
【００４７】
また、第２部位８０の表面は、鏡面状に形成されているが、粗面状に形成することで表面における拡散機能を高めるようにしてもよい。
【００４８】
したがって、第２部位８０により拡散された照明光が、照射領域４４から直接入射する照明光を補うことで、第１部位７６及び接続部位７９は、内周側から外周側まで比較的均質な照明を受けることとなる。
【００４９】
さらには、上述の通り、第１部位７６が均質な厚みの板状に形成されているので、内周側から外周側までの照明光の拡散度合及び透過度合が同程度となる。この結果、輝度ムラが少ない状態で、発光本体部７５を発光させることができる。
【００５０】
なお、本実施形態において当接部位７８では、内周側へ向かうに従って徐々に発光輝度が低下するようにして、グラデーション状の発光を実現している。
【００５１】
また、車両用表示装置１００の電源オフ時等、リング部材用光源部５０の発光素子５０ａが消灯する時には、スモーク部７３が発光本体部７５を隠すことで、発光本体部７５の乳白色が目立ち難い。また発光本体部７５が乳白色であるため、照射領域４４等を通じて導光プリズム部材６０等の内部構造が覗き見られることが防止される。
【００５２】
なお、本実施形態において、リング部材用光源部５０、導光プリズム部材６０、並びに表示板４０の照射領域４４及び規制領域４６が「照明部」を構成し、発光本体部７５及びスモーク部７３が「発光部」を構成している。
【００５３】
（作用効果）
以上説明した本実施形態の作用効果を改めて以下に説明する。
【００５４】
本実施形態によると、照射領域４４と規制領域４６とを跨ぐように配置される発光部の一構成要素である発光本体部７５のうち、照射領域４４と重なって設けられた第１部位７６において、傾斜反射面７６ａが設けられている。したがって、照明部の一構成要素である表示板４０の照射領域４４から視認側へ射出された照明光は、照射領域４４と重なっている第１部位７６を照明することとなり、その際、第１部位７６に設けられた傾斜反射面７６ａにも入射する。ここで、傾斜反射面７６ａは、照射領域４４側から規制領域４６側へ向かう程、表示板４０から遠ざかるように傾斜しているので、照射領域４４からの照明光は、規制領域４６側に反射されることとなり、規制領域４６と重なる箇所にも照明光が届く。
【００５５】
ここで発光本体部７５は、規制領域４６と重なって設けられた第２部位８０において、拡散部として機能する。拡散部として機能する第２部位８０が傾斜反射面７６ａに反射された照明光を拡散することで、当該第２部位８０から視認側へも発光することが可能となる。この結果、発光部のうち規制領域４６と重なった箇所においても、十分に明るく発光されるようになる。以上により、見栄えが良い車両用表示装置１００を提供することができる。
【００５６】
また、本実施形態によると、傾斜反射面７６ａは、照明光を拡散する光拡散材料により形成された第１部位７６において、照射領域４４と対向する表面をなしている。このようにすると、照射領域４４から第１部位７６に入射した照明光の一部を第２部位８０側へ反射しつつも、他部を第１部位７６内部にて拡散することで、発光本体部７５のうち照射領域４４と重なった箇所においても、十分に明るく発光できるようになる。発光本体部７５の各箇所が明るく発光されるため、見栄えは一層良好となる。
【００５７】
また、本実施形態によると、第１部位７６は、傾斜反射面７６ａに沿った均質な厚みの板状に形成されている。光拡散材料が均質な厚みの板状をなすことにより、第１部位７６の各箇所の間で明暗のむらが生ずることが抑制され、明るさが均質化される。故に、見栄えは一層良好となる。
【００５８】
また、本実施形態によると、第２部位８０は、光拡散材料により第１部位７６と一体的に形成され、拡散部として機能する第２部位８０は、光拡散材料の拡散作用を用いて、照明光を拡散する。このようにすると、簡易な一部品の構成で、反射作用及び拡散作用が両立された第１部位７６と、拡散作用を備えた第２部位８０と、を実現できるため、容易に見栄え効果を高めることができる。
【００５９】
また、本実施形態によると、照明光を半透過する暗色のスモーク部７３が第１部位７６及び第２部位８０の全体を視認側から被覆しているので、発光体の発光時には、見栄えの良い発光効果を実現できると共に、非発光時には発光本体部７５を直接視認させないことで見栄えを良くすることができる。
【００６０】
また、本実施形態によると、発光部は、内周側から外周側へ向かう程、照明部から遠ざかるように傾斜する傾斜反射面７６ａに合わせて、内周側から外周側へ向かう程、視認側へ突出している。ここで、環状の発光部のうち最も視認側に突出する外周側が、傾斜反射面７６ａ及び第２部位８０での拡散作用によって明るく発光することで、明るさと立体感とが相俟って、見栄えが際立って良好となる。
【００６１】
また、本実施形態によると、導光プリズム部材６０が発光素子５０ａから発せられた照明光を導光し、板状部材としての表示板４０が導光プリズム部材６０の導出面６４から射出された照明光を照射領域４４にて透過させる。このようにすると、表示板４０にて照射領域４４の範囲を調整できるので、照明の質と明るさとが適切なバランスとなり、見栄えが際立って良好となる。
【００６２】
（他の実施形態）
以上、本発明の一実施形態について説明したが、本発明は、当該実施形態に限定して解釈されるものではなく、本発明の要旨を逸脱しない範囲内において種々の実施形態に適用することができる。
【００６３】
具体的に変形例１としては、第１部位７６は、例えば合成樹脂により、透過率の高い透光性に形成され、第２部位８０のみが光拡散材料により形成されていてもよい。こうした第１部位７６によっても、鏡面状の傾斜反射面７６ａを設けることにより、傾斜反射面７６ａに入射した照明光は、傾斜反射面７６ａにて透過光と反射光とに分かれる。
【００６４】
変形例２としては、傾斜反射面７６ａは、照射領域４４側から内周側の規制領域４５側へ向かう程、すなわち外周側から内周側へ向かう程、表示板４０から離れるように傾斜していてもよい。そして、第２部位８０は、内周側の規制領域４５と重なって配置されていてもよい。この場合に、発光本体部７５及びスモーク部７３は、全体としては、外周側から内周側へ向かう程、視認側へ突出する円環状に形成されていてもよい。
【００６５】
変形例３としては、加飾リング部材７０にスモーク部７３が設けられておらず、発光本体部７５の第１部位７６が視認側に露出していてもよい。
【００６６】
変形例４としては、第１部位７６は、均質な厚みに形成されておらず、箇所毎に異なる厚みに設定されていてもよい。
【００６７】
変形例５としては、規制領域４５，４６は、照射領域４４よりも照明が規制されるものであれば、導出面６４からの照明光を完全に遮光するものでなくてもよい。
【００６８】
変形例６としては、照射領域４４は、円環状に形成されていなくてもよく、例えば楕円環状、矩形環状、直線状等に形成されていてもよい。これに対応して、発光本体部７５及びスモーク部７３は、円環状に形成されていなくてもよく、例えば楕円環状、矩形環状、直線状等に形成されていてもよい。
【符号の説明】
【００６９】
１００  車両用表示装置、４０  表示板（板状部材）、４４  照射領域、４６  規制領域、５０  リング部材用光源部、６０  導光プリズム部材、７０  加飾リング部材、７３  スモーク部、７６  第１部位、７６ａ  傾斜反射面、８０  第２部位
【図１】
2018132373.tif 000003
【図２】
2018132373.tif 000004
【図３】
2018132373.tif 000005
【図４】
2018132373.tif 000006
【図５】
2018132373.tif 000007
【図６】
2018132373.tif 000008